(57)【特許請求の範囲】
【請求項１】
呼出操作部の操作によって親機に対する呼出信号を生成する子機と、通話態勢に入ると前記子機に供給する電圧を変化させる前記親機との間に、設けられる増設用インターホンであって、
マイクロホン及びスピーカを有する送受話部と、
前記子機に線路を介して接続される子機用端子と、
前記親機に線路を介して接続される親機用端子と、
前記子機用端子と前記親機用端子と前記送受話部とを切換接続する信号経路と、
この信号経路を制御する信号経路制御部と、
前記子機用端子に接続され、前記子機からの前記呼出信号を検出したとき、呼出検出信号を前記信号経路制御部に供給する子機呼出検出部と、
前記信号経路制御部からの指示によって作動する子機呼出報知部と、
前記信号経路制御部からの指示によって前記親機に前記呼出信号に相当する親機用呼出信号を送出する親機呼出部と、
前記親機用端子に接続され、前記親機から前記親機用端子に供給されている電圧が変化したとき、親機応答信号を前記信号経路制御部に供給する呼出応答部と、
前記送受話部を作動させるときに操作され、操作信号を前記信号経路制御部に供給する送受話作動部とを、
具備し、
前記信号経路制御部は、
前記呼出検出信号が供給されたとき、前記子機呼出報知部に指示を与えて作動させると共に、前記親機呼出部に指示を与えて前記親機用呼出信号を送出させる呼出状態とし、
この呼出状態において前記親機応答信号が供給されると、前記信号経路に、前記親機用端子と子機用端子とを接続させて第１通話状態とし、
前記呼出状態において前記操作信号が供給されると、前記信号経路に、前記送受話部と前記子機用端子とを接続させて第２通話状態とし、
第１通話状態において前記操作信号が供給されると、前記信号経路に、互いに接続されている前記親機用端子と前記子機用端子とに前記送受話部を接続させ、
第２通話状態において前記親機応答信号が供給されると、前記信号経路に、互いに接続されている前記子機用端子と前記送受話部とに前記親機用端子を接続させる増設用インターホン機器。
【請求項２】
子機と、この子機に線路を介して接続されている親機とを、有し、前記子機は、前記親機を呼び出す呼出信号を前記線路に供給する呼出信号生成回路を有し、前記親機は、前記線路を介して前記子機に供給する子機用の電源を有し、前記子機に応答するとき、前記電源の電圧を第１の電圧から第２の電圧に変更し、
さらに、前記子機と前記親機の間の前記線路に増設用機器を設け、該増設用機器は、
マイクロホンとスピーカとを有する送受話部と、
子機用端子と、
親機用端子と、
接続切換部と、
前記子機用端子に接続され、前記子機からの呼出信号を検出したとき、呼出検出信号を前記接続切換部に供給する呼出検出部と、
前記接続切換部の指示に応動して前記呼出信号に相当する前記呼出信号に相当する親機用呼出信号を前記親機用端子に供給する親機呼出部と、
前記親機用端子に接続され、前記親機からの電圧が第１の電圧から第２の電圧に変化したとき、親機応答検出信号を前記接続切換部に供給する親機応答検出部と、
前記接続切換部からの指示に応動して作動する子機呼出報知部と、
前記送受話部による通話を開始させるとき、操作によって操作信号を前記接続切換部に供給する操作部とを、
具備し、
前記接続切換部は、前記呼出検出信号が供給されたとき、前記子機呼出報知部に指示を与えて作動させると共に、前記親機呼出報知部に指示を与えて前記親機用呼出信号を送出させる呼出状態とし、この呼出状態において前記親機応答信号が供給されると前記親機用端子と子機用端子とを接続して第１の通話状態とし、前記呼出状態において前記操作信号が供給されると前記送受話部と前記子機用端子とを接続して第２通話状態とし、第１の通話状態において前記操作信号が供給されると接続されている前記親機用端子と前記子機用端子とに前記送受話部を接続し、第２の通話状態において前記親機応答信号が供給されると接続されている前記子機用端子と前記送受話部とに前記親機用端子を接続するインターホン。
【発明の詳細な説明】
【０００１】
【発明の属する技術分野】
本発明は、親機と子機とからなる既存のインターホンに、増設するのに適した増設用のインターホン機器と、これを利用したインターホンに関する。
【０００２】
【従来の技術】
一般に、家庭等で使用されるインターホンでは、例えば玄関に子機を配置し、家屋の居間に親機を配置し、来客があったとき等に、子機から親機を呼び出し、通話することがある。
【０００３】
【発明が解決しようとする課題】
上記のインターホンは、玄関と居間との間での通話用のものである。新たに、家庭内の別の場所と、玄関または居間との間で通話をする必要が生じることがある。このような場合、上記のインターホンでは、対応できず、新たに３箇所以上の場所で通話可能なインターホンに買い換える必要がある。或いは、当初は、２箇所での通話しか行わないが、将来、３箇所以上での通話が必要になることを見越して、３箇所以上で通話可能に改変できるタイプのインターホンを予め購入することも考えられるが、このようなタイプのインターホンは、２箇所での通話を行うインターホンよりも高価格であり、将来３箇所以上での通話を行わなかった場合、無駄な出費をしたことになる。
【０００４】
本発明は、既存のインターホンに増設することによって３箇所以上の場所で通話を可能とする増設用のインターホン機器を提供することを目的とする。また、このような増設用インターホン機器を用いたインターホンを提供することを目的とする。
【０００５】
【課題を解決するための手段】
請求項１記載の増設用インターホン機器は、呼出操作部の操作によって親機に対する呼出信号を生成する子機と、通話態勢に入ると前記子機に供給する電圧を変化させる前記親機との間に、設けられる増設用インターホンである。この増設用インターホンは、マイクロホン及びスピーカを有する送受話部と、前記子機に線路を介して接続される子機用端子と、前記親機に線路を介して接続される親機用端子と、前記子機用端子と前記親機用端子と前記送受話部とを切換接続する信号経路と、この信号経路を制御する信号経路制御部と、前記子機用端子に接続され、前記子機からの前記呼出信号を検出したとき、呼出検出信号を前記信号経路制御部に供給する子機呼出検出部と、前記信号経路制御部からの指示によって作動する子機呼出報知部と、前記信号経路制御部からの指示によって前記親機に前記呼出信号に相当する親機用呼出信号を送出する親機呼出部と、前記親機から前記親機用端子に供給されている電圧が変化したとき、親機応答信号を前記信号経路制御部に供給する呼出応答部と、前記送受話部を作動させるときに操作され、操作信号を前記信号経路制御部に供給する送受話作動部とを、具備している。前記信号経路制御部は、前記呼出検出信号が供給されたとき、前記子機呼出報知部に指示を与えて作動させると共に、前記親機呼出部に指示を与えて前記親機用呼出信号を送出させる呼出状態とする。信号経路制御部は、この呼出状態において前記親機応答信号が供給されると、前記信号経路に前記親機用端子と子機用端子とを接続させて第１通話状態とする。また、前記信号経路制御部は、前記呼出状態において前記操作信号が供給されると、前記信号経路に前記送受話部と前記子機用端子とを接続させて第２通話状態とする。前記信号経路制御部は、第１通話状態において前記操作信号が供給されると、前記信号経路に、互いに接続されている前記親機用端子と前記子機用端子とに前記送受話部を接続させる。信号経路制御部は、第２通話状態において前記親機応答信号が供給されると、前記信号経路に、互いに接続されている前記子機用端子と前記送受話部とに前記親機用端子を接続させる。
【０００６】
請求項１記載の増設用インターホン機器では、子機から呼出信号が供給されると、これを子機呼出検出部が検出し、子機呼出報知部を作動させ、子機からの呼出があることを、この増設用インターホン機器の周囲にいる人に報知する。同時に、子機呼出検出部の呼出信号の検出に応動して、親機呼出部が、呼出信号に相当する信号を親機に送出するので、親機でも、子機からの呼出があることが判明する。即ち、子機からの呼出が、この増設用インターホン機器と親機とに伝えられる。ここで、親機が、子機の呼出に応答すると、親機からの子機用への電圧が変化し、これを呼出応答部が検出し、親機応答信号を信号経路制御部に供給する。よって信号経路制御部が、親機と子機とを接続し、親機と子機との間での通話が可能となる。また、子機呼出報知部の作動によって、増設用インターホン機器の周囲の人が子機からの呼出があることを知ったとき、送受話操作部を操作して、操作信号を生成すると、信号経路制御部が、送受話部と子機とを接続する。これによって、この増設用インターホン機器と子機との間で通話が可能となる。
【００１３】
請求項２記載のインターホンは、子機と、この子機に線路を介して接続されている親機とを、有している。子機は、親機を呼び出す呼出信号を前記線路に供給する呼出信号生成回路を有している。親機は、前記線路を介して前記子機に供給する子機用の電源を有し、前記子機に応答するとき、前記電源の電圧を第１の電圧から第２の電圧に変更する。前記子機と前記親機の間の前記線路に増設用機器が設けられている。該増設用機器は、マイクロホンとスピーカとを有する送受話部と、子機用端子と、親機用端子と、接続切換部とを有している。さらに、増設用機器は、子機用端子に接続され、前記子機からの呼出信号を検出したとき、呼出検出信号を前記接続切換部に供給する呼出検出部と、前記接続切換部の指示に応動して前記呼出信号に相当する親機用呼出信号を前記親機用端子に供給する親機呼出部と、親機用端子に接続され、親機からの電圧が第１の電圧から第２の電圧に変化したとき、親機応答検出信号を前記接続切換部に供給する親機応答検出部と、前記接続切換部からの指示に応動して作動する子機呼出報知部と、前記送受話部による通話を開始させるとき、操作によって操作信号を前記接続切換部に供給する操作部とを、具備している。前記接続切換部は、前記呼出検出信号が供給されたとき、前記子機呼出報知部に指示を与えて作動させると共に、前記親機呼出部に指示を与えて前記親機用呼出信号を送出させる呼出状態とする。接続切換部は、この呼出状態において前記親機応答信号が供給されると、前記親機用端子と子機用端子とを接続して第１通話状態とする。接続切換部は、前記呼出状態において前記操作信号が供給されると、前記送受話部と前記子機用端子とを接続して第２通話状態とする。接続切換部は、第１通話状態において前記操作信号が供給されると、互いに接続されている前記親機用端子と前記子機用端子とに前記送受話部を接続する。接続切換部は、第２通話状態において前記親機応答信号が供給されると、互いに接続されている前記子機用端子と前記送受話部とに前記親機用端子を接続する。
【００１９】
【発明の実施の形態】
この発明の１実施の形態である増設用インターホン機器２は、図２に示すように、既存のインターホンの子機４と、親機６との間に設けられる。子機４は、例えば家屋の玄関に取り付けられ、親機６は、例えば家屋の居間等に取り付けられている。増設用インターホン機器２は、家屋の任意の場所であって、子機２や親機４と通話が必要な場所に取り付けられている。
【００２０】
通常の場合、子機４は、親機６とのみ２本の線路で接続されている。子機４は、通常の場合、親機６から線路を介して供給される電源、例えば交流電源によって動作している。その電圧は、待機状態では、子機４に設けられているＬＥＤ（図示せず）を発光させるために、第１の電圧、例えば高い電圧とされている。しかし、親機６が子機４から呼び出されたとき、これに応答するため、親機６が図２に示す送受話器７を取り上げると、親機６は、子機に供給する電圧を第２の電圧、例えば低い電圧に変更する。これは、子機４に設けられているＬＥＤの発光が不要であるので、高い電圧が不要であるからである。
【００２１】
子機４は、親機６を呼び出すために、呼出回路（図示せず）を備えており、子機４において呼出操作が行われると、呼出回路は、親機６に接続されている線路の電圧を一定期間、低下させる。親機６は、この電圧の低下を検知して、メロディＩＣ（図示せず）を作動させて、子機４からの呼出があったことを報知する。なお、親機６と子機４との間の音声信号も、この線路を介して伝送される。
【００２２】
このような子機４と親機６との間に新たに増設された増設用インターホン機器２は、図１に示すように子機４からの線路が接続される子機用端子１０ａ、１０ｂと、親機６からの線路が接続される親機用端子１２ａ、１２ｂとを、有している。子機用端子１０ｂ、親機用端子１２ｂは、共に接地されている。
【００２３】
増設用インターホン機器２は、この他に、送受話部１４を有している。送受話部１４は、例えばマイクロホン１６、増幅器１８、スピーカ２０、ハイブリッドトランス２２を含んでいる。マイクロホン１６からの音声信号はハイブリッドトランス２２を介してスピーカ２０に出力されると共に、ハイブリッドトランス２２に親機６または子機４から供給された音声信号もスピーカ２０に供給される。なお、マイクロホン１６とスピーカ２０とは、図２に示すような１つの送受話器２１内に設けられている。
【００２４】
この送受話部１４と子機用端子１０ａと親機用端子１２ａとの間には、信号経路が形成されている。即ち、子機用端子１０ａと親機用端子１２ａとの間に直列に開閉スイッチ２４、２６が接続され、これら開閉スイッチ２４、２６の相互接続点とハイブリッドトランス２２との間に、開閉スイッチ２８が設けられている。これら開閉スイッチ２４、２６、２８は、信号経路制御部、例えばＣＰＵ３０によって開閉制御される。
【００２５】
また、子機用端子１０ａは、開閉スイッチ３１を介して子機電源３２に接続されている。開閉スイッチ３１及び子機電源３２も、ＣＰＵ３０によって制御される。特に、子機電源３２は、ＣＰＵ３０からの制御信号に基づいて子機４に供給する電圧を第１の電圧から第２の電圧に、或いはその逆に第２の電圧から第１の電圧に変更することができるように設計されている。電源部３４は、商用交流電源を整流、平滑して、直流電源を生成し、ＣＰＵ３０等の各機器に供給している。
【００２６】
子機用端子１０ａには、子機呼出検知部、例えば子機電圧検知回路３６が設けられており、子機４の呼出回路が呼出信号を生成したとき、例えば子機用端子１０ａの電圧を一定期間、低下させたとき、この電圧の低下を検知して、電圧低下検知信号をＣＰＵ３０に供給する。また、ＣＰＵ３０には、送受話作動部、例えば送受話器オン／オフ検知回路３８が接続されている。これは、子機４または親機６からの呼出に応答するために送受話器２１を取り上げたとき、送受話器オフ信号をＣＰＵ３０に供給する。また、ＣＰＵ３０には、親機呼出操作部、例えば親機呼出スイッチ４０が接続されている。増設用インターホン機器２から親機を呼び出す時に、親機呼出スイッチ４０は閉成される。ＣＰＵ３０は、このスイッチ４０が閉成されたとき、親機呼出回路４２を作動させ、親機用端子１２ａに親機６が供給している電圧を低下させる。
【００２７】
また、ＣＰＵ３０には、親機４からの応答を検出する親機応答検出部４４も設けられている。親機応答検出部４４は、親機用端子１２ａに接続されている整流回路４６と、整流回路４６の出力が予め定めた電圧よりも低下したとき、応答検知信号を生成する電圧検知回路４８とからなる。即ち、親機６が、子機４または増設用インターホン機器２からの呼出に応じて、親機用端子１２ａに供給している電圧を低下させたか否かを検出している。
【００２８】
ＣＰＵ３０は、子機呼出報知部、例えばメロディＩＣ５０も接続されている。このメロディＩＣ５０は、例えば子機４からの呼出があるとＣＰＵ３０が判断したときに、動作させられ、メロディ音を発生し、これを増幅器１８に供給する。なお、この増幅器１８には、アンプ用電源５２から電源が供給されている。このアンプ用電源５２も、ＣＰＵ３０によって制御されている。
【００２９】
この増設用インターホン機器２、子機４及び親機６を図２に示すように接続した状態において、増設用インターホン機器２、子機４及び親機６のいずれもが、他の機器を呼び出していない待機状態では、増設用インターホン機器２のＣＰＵ３０は、開閉スイッチ３１を閉じるとと共に、子機電源３２に高い電圧を発生させ、この高い電圧を開閉スイッチ３１、子機用端子１０ａ、線路を介して子機４に供給している。また、親機６が同様に発生している高い電圧が、線路、親機用端子１２ａを介して整流回路４６に供給されている。但し、高い電圧であるので、電圧検知回路４８は、応答検知信号をＣＰＵ３０には、供給していない。
【００３０】
この待機状態において、子機４が呼出操作をを行うと、図２（ｃ）に示すように増設用インターホン機器２及び親機６で呼出が行われる。即ち、子機４での呼出操作によって、子機用端子１０ａの電圧が一定期間、低下し、この電圧の低下が子機電圧検知回路３６で検知され、電圧低下検知信号をＣＰＵ３０に供給する。これによって、ＣＰＵ３０は、メロディＩＣ５０を動作させ、メロディ音を発生させる。このメロディ音は、増幅器１８によって増幅され、ハイブリッドトランス２２に供給される。従って、メロディ音はスピーカ２０に供給されるので、増設用インターホン機器２において、子機４からの呼出があることが分かる。
【００３１】
一方、ＣＰＵ３０は、開閉スイッチ２８、２６を閉成するので、ハイブリッドトランス２２からメロディ音は、親機用端子１２ａ及び線路を介して親機６に供給され、親機６において子機４からの呼出があることが分かる。
【００３２】
同時に、ＣＰＵ３０は、子機用電源３２からの電圧を低下させる。これによって子機４に供給される電圧が低下する。
【００３３】
この子機４からの呼出がある状態で、例えば増設用インターホン機器２の送受話器２１を取り上げると、送受話器オン／オフ検知回路３８が送受話器オフ信号をＣＰＵ３０に供給する。このときＣＰＵ３０は、メロディＩＣ５０を停止させ、開閉スイッチ２６を開放し、開閉スイッチ２４、２８を閉成する。これによってハイブリッドトランス２２が子機用端子１０ａに接続されるので、子機４と増設用インターホン機器２との間で、図２（ａ）に示すように通話が行える。
【００３４】
子機４からの呼出がある状態で、親機６がそれの送受話器７を取り上げると、親機用端子１２ａの電圧が低下し、この電圧の低下を電圧検知回路４８が検出し、親機応答検知信号をＣＰＵ３０に供給する。これによって、ＣＰＵ３０は、開閉スイッチ２４、２６を閉成し、開閉スイッチ２８を開放し、親機用端子１２ａと子機用端子１０ａとを接続し、子機４と親機６との間で通話が可能な状態とする。このとき、子機４への電源は、親機６から親機用端子１２ａ、開閉スイッチ２４、２６、子機用端子１０ａ、線路を介して供給されるので、同時に開閉スイッチ３１を開放する。また、ＣＰＵ３０はメロディＩＣ５０を停止させる。
【００３５】
上記のように子機４と増設用インターホン機器２とが通話している状態において、親機６が送受話器７を取り上げると、親機用端子１２ａの電圧が低下し、電圧検知回路４８が親機応答検知信号をＣＰＵ３０に供給する。このとき、ＣＰＵ３０には、電圧検知回路４８からの親機応答検知信号と、送受話器オン／オフ検知回路３８からの送受話器オフ信号とが同時に供給されている。従って、ＣＰＵ３０は、開閉スイッチ２４、２６、２８を閉成して、子機４と親機６と増設用インターホン機器２とで、通話ができる状態にする。このとき、開閉スイッチ３１は開放される。
【００３６】
逆に子機４と親機６とが通話している状態において、増設用インターホン機器２の送受話器２１を取ると、送受話器オン／オフ検知回路３８からの送受話器オフ信号がＣＰＵ３０に供給され、ＣＰＵ３０には、電圧検知回路４８からの親機応答検知信号と、送受話器オン／オフ検知回路３８からの送受話器オフ信号とが同時に供給される。従って、ＣＰＵ３０は、開閉スイッチ２４、２６、２８を閉成して、子機４と親機６と増設用インターホン機器２とで、通話ができる状態にする。このとき、開閉スイッチ３１は既に開放されているので、このスイッチ３１の開放は行われない。
【００３７】
また、待機状態において、増設用インターホン機器２から親機６を呼び出す場合、親機呼出スイッチ４０を操作する。これによって、ＣＰＵ３０は、親機呼出回路４２を作動させて、親機用端子１２ａに親機６から供給されている電圧を、例えば一定期間、低下させる。この電圧の低下が親機６によって検出され、親機６のメロディＩＣが動作し、親機６に呼出があることが報知される。
【００３８】
このメロディＩＣの作動によって呼出があることが分かった親機６で、送受話器７を取り上げると、親機６が親機用端子１２ａに供給されている電圧を低下させる。この低下が電圧検知回路４８によって検知され、親機応答検知信号がＣＰＵ３０に供給される。
【００３９】
そして、増設用インターホン機器２において、送受話器２１を取ると、送話器オン／オフ検出回路３８が送受話器オフ信号をＣＰＵ３０に供給する。即ち、子機４との通話が行われていない状態で、親機応答検知信号と送受話器オフ信号とがＣＰＵ３０に供給されているので、ＣＰＵ３０は、開閉スイッチ２８、２６を閉成することにより、ハイブリッドトランス２２と親機用端子１２ａとを接続する。よって親機６と増設用インターホン機器２との間で内線通話が可能となる。
【００４０】
また、待機状態において、親機６が増設用インターホン機器２を呼び出そうと、親機６の送受話器７を取り上げると、親機用端子１２ａの電圧が低下し、電圧検知回路４８が親機応答検知信号をＣＰＵ３０に供給する。このとき、ＣＰＵ３０は、内線呼出信号を増幅器１８に供給する。この内線呼出信号が増幅器１８で増幅され、ハイブリッドトランス２２からスピーカ２０に供給され、親機６からの呼出があることを増設用インターホン機器２で知ることができる。この呼出に応答するため、増設用インターホン機器２の送受話器２１を取り上げると、送話器オン／オフ検出回路３８が送受話器オフ信号をＣＰＵ３０に供給する。即ち、子機４との通話が行われていない状態で、親機応答検知信号と送受話器オフ信号とがＣＰＵ３０に供給されているので、ＣＰＵ３０は、開閉スイッチ２８、２６を閉成することにより、ハイブリッドトランス２２と親機用端子１２ａとを接続する。よって親機６と増設用インターホン機器２との間で内線通話が可能となる。
【００４１】
なお、増設用インターホン機器２と親機６との間で内線通話が行われているとき、子機４から呼出が行われると、子機電圧検知回路３６から電圧低下検知信号がＣＰＵ３０に供給され、ＣＰＵ３０はメロディＩＣ５０を作動させる。このメロディＩＣのメロディ音は、増幅器１８、ハイブリッドトランス２２を介してスピーカ２０に供給されると共に、ハイブリッドトランス２２から開閉スイッチ２８、２６、親機用端子１２ａを介して親機６に供給され、増設用インターホン機器２、親機６に子機４から呼出があることを報知する。一定時間後に、メロディＩＣ５０が停止され、開閉スイッチ２４が閉じられ、子機４と、増設用インターホン機器２、親機６との間で通話が可能となる。このとき、開閉スイッチ３１が開放される。
【００４２】
このように増設用インターホン機器２を設けることによって、子機４及び親機６になんら改造することなく、子機４、親機６及び増設用インターホン機器２の間で通話をすることができる。
【００４３】
上記の実施の形態では、子機４からの呼出は、子機用端子１０ａの電圧を一定期間低下させることによって行ったが、例えば非可聴周波数の信号を子機用端子１０ａに線路を介して供給するようにしてもよい。その場合、親機呼出回路４２も、子機４が発生する非可聴周波数信号と同一の信号を発生するように構成する。また、親機６から増設用インターホン機器２の呼出しがあったとき、ＣＰＵ３０が内線呼出信号を発生したが、内線呼出信号発生器を別に設け、ＣＰＵ３０から信号を受けたとき動作するようにしてもよい。
【００４４】
【発明の効果】
以上のように、請求項１記載の増設用インターホン機器では、子機からの呼出信号を子機呼出検出部が検出したとき、子機呼出検出部が呼出信号を検出したとき、子機からの呼出信号に相当する呼出信号を親機呼出部が親機に送出し、親機から供給されている電圧が変化したとき、呼出応答部が親機応答信号を生成し、親機応答信号が供給されたとき、信号経路に、親機と子機とを接続させるので、増設用インターホン機器を設けていても、親機と子機とにはなんら改造を施すことなく、親機と子機との間で通話をすることができる。さらに、増設用インターホン機器では、子機からの呼出信号を子機呼出検出部が検出したとき、子機呼出報知部が子機からの呼出があることを報知し、この報知に基づいて、送受話作動部が操作されると、操作信号が送受話作動部によって送出され、信号経路が、送受話部と子機とを接続させるので、子機と増設用インターホン機器との間でも通話が行える。このとき、子機にはなんら改造は不要である。
【００４８】
請求項２記載の発明によれば、子機と、これに線路を介して接続されている親機との間に、増設用機器を設けても、子機と親機、子機と増設用機器との間で通話を行うことができ、しかも親機も子機もなんら改造する必要がない。
【図面の簡単な説明】
【図１】本発明の１実施の形態の増設用インターホン機器のブロック図である。
【図２】図１の増設用インターホン機器と親機と子機との接続を示す図である。
【符号の説明】
２  増設用機器
４  子機
６  親機
１０ａ  １０ｂ  子機用端子
１２ａ  １２ｂ  親機用端子
１４  送受話部
２４  ２６  ２８  開閉スイッチ（信号経路）
３０  ＣＰＵ（信号経路制御部）
３６  子機電圧検知回路（子機呼出検知部）
３８  送受話器オン／オフ検出回路（送受話作動部）
４０  親機呼出スイッチ（親機呼出操作部）
４２  親機呼出回路（親機呼出部）
４４  応答検出部（呼出応答部）
５０  メロディＩＣ（子機呼出報知部）
【図１】
0003636876.tif 000002
【図２】
0003636876.tif 000003